(57)【要約】      （修正有）【課題】可搬式で既存の浴槽に容易に取り付けることが可能かつ、噴流の噴射角度を任意に設定でき、入浴中も退屈することのない噴流発生装置の提供。【解決手段】浴槽の縁部間に掛け渡される支持体３と、支持体３から垂下された浴槽挿入体２と、支持体３の上方に設置されたディスプレイ４とを備え、支持体３には、支持体３の両端に突出する伸縮可能な腕部２２を有し、浴槽挿入体２には、浴槽内を複数の色付き光で照らす浴槽内照明装置１１と、浴槽挿入体２の前面から空気を含む水の噴流を発生させる噴流発生手段１２とを備え、噴流発生手段１２には、湯水噴出ポンプ１６と、湯水吸入路１４と、湯水噴出路１５と、湯水噴出路１５に設けられている湯水と空気が混合される気液混合部と、気液混合部に連通されている空気吸入路１３とを有し、湯水噴出路１５の噴出方向端部には、噴出する方向を変えることができる噴出口１７を備えている。【選択図】図１
2008212404.tif 000002
【特許請求の範囲】
【請求項１】
浴槽の縁部間に掛け渡される支持体と、該支持体から垂下された浴槽挿入体と、前記支持体の上方に設置されたディスプレイとを備え、
前記支持体には、該支持体の両端に突出する伸縮可能な腕部を有し、該腕部の先端下部には前記浴槽の縁部に前記支持体を固定するための支持体固定手段を有し、
前記浴槽挿入体には、浴槽内を複数の色付き光で照らす浴槽内照明装置と、前記浴槽挿入体の前面から空気を含む水の噴流を発生させる噴流発生手段とを備え、
該噴流発生手段には、湯水を吸入し噴出する湯水噴出ポンプと、該湯水噴出ポンプに前記浴槽内の湯水を吸入するための湯水吸入路と、前記湯水噴出ポンプから噴出される湯水が通る湯水噴出路と、該湯水噴出路に設けられている湯水と空気が混合される気液混合部と、該気液混合部に連通されている空気を吸入するための空気吸入路とを有し、
前記浴槽挿入体の背面には、該浴槽挿入体を浴槽の内壁に固定する浴槽挿入体固定手段を備え、
前記湯水噴出路の噴出方向端部には、噴出する方向を変えることができる噴出口を備えているディスプレイ一体型噴流発生装置。
【請求項２】
前記ディスプレイの前面下部には、ディスプレイの音量調節、チャンネル選択及びモード選択のスイッチを備えているとともに、噴流発生手段及び浴槽内照明装置の電源スイッチを備えている請求項１に記載のディスプレイ一体型噴流発生装置。
【請求項３】
前記支持体には、ディスプレイの機能を操作するためのリモコン装置が嵌る凹部を有している請求項１又は２の何れか１に記載のディスプレイ一体型噴流発生装置。
【請求項４】
前記ディスプレイの前面下部に、前記浴槽内の湯水の温度を表示する温度表示部を備えている請求項１，２又は３の何れか１に記載のディスプレイ一体型噴流発生装置。
【請求項５】
前記支持体固定手段及び浴槽挿入体固定手段は、吸盤からなる請求項１，２，３又は４の何れか１に記載のディスプレイ一体型噴流発生装置。
【発明の詳細な説明】
【技術分野】
【０００１】
本発明は、主として浴槽に設置され、気泡を含んだ水の噴流を発生させるとともに、テレビ映像等を視聴することができるディスプレイ一体型噴流発生装置に関する。
【背景技術】
【０００２】
従来、浴槽内に設置し、マッサージ効果を得るために気泡を含んだ水の噴流を発生させる装置として、図７〜８に示す浴中気泡発生装置５１がある。（特許文献１）
これは、水流発生用の湯水噴出ポンプと水流に空気を混入する発泡手段を内蔵し、気泡噴流の噴射口５２と、発泡用の吸気口５３とを備えた浴中気泡発泡装置５１であり、その装置本体５４の一面に、浴槽５７の内壁に吸着させるための複数の吸着盤５５，５５と、この複数の吸着盤５５，５５の吸着状態を同時に解消するための操作レバー５６を備えたものである。従って、既存の浴槽５７に、容易に取り付けることができるとともに、装置本体５４の固定位置を容易に変更できるものである。
【特許文献１】特開平５−１６８６７４号公報
【発明の開示】
【発明が解決しようとする課題】
【０００３】
しかし、この浴中気泡発生装置は、単に気泡入り噴流を噴出させることのみを目的としており、入浴者が退屈せずに入浴するための対策は何ら講じられていない。また、この浴中気泡発生装置は、装置本体の設置位置を容易に変更できるものであるが、噴流の噴射角度は浴槽の内壁の角度に依存しており、噴流の噴射方向を任意に設定できないという問題があった。
【０００４】
本発明は、このような従来の問題に鑑み、可搬式で既存の浴槽に容易に取り付けることができるとともに、噴流の噴射角度を任意に設定でき、入浴中も退屈することのない噴流発生装置を提供することを目的とする。
【課題を解決するための手段】
【０００５】
上述の如き従来の問題を解決し、所期の目的を達成するための請求項１に記載の発明の特徴は、浴槽の縁部間に掛け渡される支持体と、該支持体から垂下された浴槽挿入体と、前記支持体の上方に設置されたディスプレイとを備え、前記支持体には、該支持体の両端に突出する伸縮可能な腕部を有し、該腕部の先端下部には前記浴槽の縁部に前記支持体を固定するための支持体固定手段を有し、前記浴槽挿入体には、浴槽内を複数の色付き光で照らす浴槽内照明装置と、前記浴槽挿入体の前面から空気を含む水の噴流を発生させる噴流発生手段とを備え、該噴流発生手段には、湯水を吸入し噴出する湯水噴出ポンプと、該湯水噴出ポンプに前記浴槽内の湯水を吸入するための湯水吸入路と、前記湯水噴出ポンプから噴出される湯水が通る湯水噴出路と、該湯水噴出路に設けられている湯水と空気が混合される気液混合部と、該気液混合部に連通されている空気を吸入するための空気吸入路とを有し、前記浴槽挿入体の背面には、該浴槽挿入体を浴槽の内壁に固定する浴槽挿入体固定手段を備え、前記湯水噴出路の噴出方向端部には、噴出する方向を変えることができる噴出口を備えていることにある。
【０００６】
請求項２に記載の発明の特徴は、請求項１に記載の構成に加え、前記ディスプレイの前面下部には、ディスプレイの音量調節、チャンネル選択及びモード選択のスイッチを備えているとともに、噴流発生手段及び浴槽内照明装置の電源スイッチを備えていることにある。
【０００７】
請求項３に記載の発明の特徴は、請求項１又は２に記載の構成に加え、前記支持体には、ディスプレイの機能を操作するためのリモコン装置が嵌る凹部を有することにある。
【０００８】
請求項４に記載の発明の特徴は、請求項１，２又は３に記載の構成に加え、前記ディスプレイの前面下部に、前記浴槽内の湯水の温度を表示する温度表示部を備えていることにある。
【０００９】
請求項５に記載の発明の特徴は、請求項１，２，３又は４に記載の構成に加え、前記支持体固定手段及び浴槽挿入体固定手段は、吸盤からなることにある。
【発明の効果】
【００１０】
本発明に係るディスプレイ一体型噴流装置は、ディスプレイと、噴流発生手段を備えた浴槽挿入体を有し、ディスプレイ及び浴槽挿入体を支持するものであって、浴槽の縁部間に掛け渡される支持体を有しているので、浴槽上にディスプレイを好適に支持固定できる。また、浴槽挿入体の幅と比較して画面の幅が大きなディスプレイを設置することができる。浴槽上にディスプレイを設置するので、浴槽の周りや、浴室の壁に、ディスプレイの設置場所を確保する必要がなく、噴流発生装置とともにディスプレイの導入が容易にできる。
【００１１】
さらに、その支持体が、支持本体部とその両端から突出し伸縮可能な腕部を有することにより、幅の異なる浴槽に容易に対応することができる。さらに、伸縮する腕部が２つあるので、浴槽の縁部間において、浴槽挿入体及びディスプレイの位置を調節することができる。
【００１２】
また、浴槽内を複数の色付き光で照らす浴槽内照明装置を備えているので、噴流によるマッサージ効果と色付き光による癒し効果を同時に得ることができる。
【００１３】
また、噴流発生手段には、湯水を吸入し噴出する湯水噴出ポンプと、湯水噴出ポンプに浴槽内の湯水を吸入するための湯水吸入路と、湯水噴出ポンプから噴出される湯水が通る湯水噴出路と、湯水噴出路に設けられている湯水と空気が混合される気液混合部と、気液混合部に連通されている空気を吸入するための空気吸入路とを有し、湯水噴出路の噴出方向端部には、噴出する方向を変えることができる噴出口を備えているので、好適に空気を含む水の噴流を発生させることができるとともに、入浴者が噴出口の向きを自分の好みにあわせて容易に変えることができる。
【００１４】
また、ディスプレイの前面下部には、ディスプレイの音量調節、チャンネル選択及びモード選択のスイッチを備えているとともに、噴流発生手段及び浴槽内照明装置の電源スイッチを備えていることにより、入浴者が浴槽から出ることなく、容易に、これらの機能を使用することができる。
【００１５】
また、支持体に、ディスプレイの機能を操作するためのリモコン装置が嵌る凹部を有することにより、リモコン装置の置き場に窮することなく、リモコン装置の管理を好適に行うことができる。
【００１６】
また、ディスプレイの前面下部に、浴槽内の湯水の温度を表示する温度表示部を備えていることにより、浴槽内の湯水の温度を認識することができる。
【００１７】
また、支持体固定手段及び浴槽挿入体固定手段が吸盤であることにより、ディスプレイ一体型噴流発生装置を容易に固定できる。
【発明を実施するための最良の形態】
【００１８】
次に本発明の実施の形態を図１〜６に示した実施例に基づいて説明する。
【００１９】
図１〜５は、本発明に係るディスプレイ一体型噴流発生装置１を示している。符号２は浴槽挿入体を示しており、この浴槽挿入体２は、浴槽５の縁部間に掛け渡された支持体３に垂下されている。また、この支持体３上にはディスプレイ４が設置され、浴室において、テレビ等を見ながら入浴することができるようになっている。
【００２０】
浴槽挿入体２は、略直方体形箱状をした浴槽挿入用ケーシング６と、その浴槽挿入用ケーシング６に設置されている浴槽内照明装置１１及び噴流発生手段１２を有している。
【００２１】
この浴槽挿入用ケーシング６は、図５に示すように、その後側下部が少し欠けた形状、即ち、後面から底面にかけて傾斜面を有する形状に形成されている。そして、その長さ方向端部を上部として、支持体３に接続されている。また、この浴槽挿入用ケーシング６は、支持体３との接続部分を支点として、前後に回動することができるように設置されている。即ち、浴槽挿入用ケーシング６と支持体３の間に、ヒンジ状の接合構造を有している。
【００２２】
このヒンジ状の接合構造は、図６に示す浴槽挿入用ケーシング６の上部に設けられたヒンジ状接合用の一対の受け部材７，７と、支持体３に備えられたヒンジ接合用の支軸とから構成される。この受け部材７，７は、支軸が挿入される略筒状の部分を有する。そして、受け部材７，７に、支持体３に設置されている支軸が挿入されて、この支軸を軸として浴槽挿入用ケーシング６が前後に回動することができる。
【００２３】
また、浴槽挿入用ケーシング６の後面には、浴槽５に固定するための浴槽挿入体固定手段８，８……を備えている。さらに、浴槽挿入用ケーシング６の底面には、図４に示すように、吸込口９が設けられており、この吸込口９から湯水が吸入される。この吸込口９には、目の粗い網状のフィルタが設置されている。
【００２４】
浴槽挿入用ケーシング６には、浴槽５内を複数の色付き光で照らす浴槽内照明装置１１と、浴槽挿入用ケーシング６の前面から噴流を発生させる噴流発生手段１２が設置されている。この噴流発生手段１２は、浴槽５内の湯水を吸入し、その湯水に空気を混合させて気泡を含む湯水の噴流である気泡噴流を噴出させるものである。
【００２５】
噴流発生手段１２には、図６に示すように、浴槽５内の湯水を吸入するための湯水吸入路１４と、その湯水吸入路１４を通して湯水を吸入し、湯水噴出路１５に噴出する湯水噴出ポンプ１６と、空気を吸入するための空気吸入路１３と、湯水噴出路１５に設けられている吸入された湯水と空気を混合するための気液混合部と、この気液混合部で混合された空気及び湯水が噴出される噴出口１７が備えられている。
【００２６】
湯水吸入路１４には、フィルタ部１４ａが設置されている。フィルタ部１４ａは、略直方体箱状に形成され、前面が開口されてフィルタカセット挿入口１４ｂと連通している。そして、フィルタ部１４ａには、フィルタカセット１４ｃが、フィルタカセット挿入口１４ｂより、取り外し可能に挿入されている。
【００２７】
また、フィルタ部１４ａの下面は開口されており、吸込口９と連通している。そして、フィルタ部１４ａの上部が湯水噴出ポンプと連通しており、浴槽内の湯水が、浴槽挿入用ケーシング６の底面に設けられた吸込口９をとおり、さらにフィルタ部１４ａをとおって湯水噴出ポンプ１６に吸い上げられるようになっている。
【００２８】
フィルタ部１４ａに設置されているフィルタカセット１４ｃは、略直方体箱状でフィルタ部１４ａ内に嵌るように形成されている。上面及び底面は開口されており、底面の開口には網状のフィルタを備えている。このフィルタによってゴミや髪の毛の巻き込みを防止している。また、フィルタカセット１４ｃの前面には、フィルタカセット挿入口１４ｂに嵌るカバーを備えている。フィルタカセット挿入口１４ｂは、浴槽挿入用ケーシング６の前面下部に開口されており、両側面がテーパ状に形成され、奥の方が細くなっている。フィルタカセット１４ｃをフィルタ部１４ａに設置した際に、フィルタカセット１４ｃのカバーの両端とフィルタ挿入口１４ｂの間には、指を差し込める間隙を有し、好適に取り外しが可能となっている。
【００２９】
そして、このフィルタカセット１４ｃのフィルタを通して湯水を吸入する。このように湯水吸入路１４に取り外し可能なフィルタカセット１４ｃを設けることにより、フィルタの掃除が容易となる。また、このフィルタカセット１４ｃは、巻き込み防止のため、フィルタ部１４ａの所定の位置まで挿入されていないと、噴流発生手段１２が動作しないようになっている。
【００３０】
湯水吸入路１４の上部には、湯水噴出ポンプ１６が設置されている。この湯水噴出ポンプ１６の前面下部には湯水噴出路１５が設置されており、湯水噴出ポンプ１６から噴出される湯水が通るようになっている。この湯水噴出路１５は、後方側が湯水噴出ポンプ１６と接続されているとともに、上部において空気吸入路１３と接続されており、前方側に噴出口１７が接続されている。そして、湯水噴出路１５は、湯水と空気とを混合する気液混合部を有しており、その気液混合部で、湯水が空気を含む水の噴流となり、噴出口１７から噴出される。
【００３１】
噴出口１７は、湯水噴出路の噴出方向端部に設置されている。噴出口１７は、胴部が膨らんでいる筒状に形成されており、噴出口受け部材に、噴出口１７の胴部が嵌るように設置されている。噴出口受け部材は、略円筒形状に形成され、噴出口１７の胴部が嵌り噴出方向から抜け出ないようになっているとともに、噴出口１７の胴部が噴出口受け部材に対して回動自在なボール軸受けを構成している。
【００３２】
また、噴出口１７の向きを、浴槽挿入用ケーシング６の前面方向と平行な軸と噴出口１７とのなす角が０度から２５度の範囲で、変えることができるようになっている。また、噴出口１７は、フィルタカセット挿入口１４ｂの上方に、浴槽挿入用ケーシング６から突出するように設けられている。
【００３３】
空気を吸入するための空気吸入路１３は、浴槽挿入用ケーシング６の上部に突出するように備えられた空気吸入口１３ａと、この空気吸入口１３ａと湯水噴出路１５を接続する空気吸入管１３ｂを有している。この空気吸入路を通って空気が気液混合部に供給される。
【００３４】
浴槽挿入用ケーシング６の噴出口１７の上方には、浴槽内照明装置１１が備えられている。この浴槽内照明装置１１には、照明の光源として、赤、緑及び青色のＬＥＤが備えられ（図示せず）、その組み合わせで６色の色を表示可能となっている。この３色のＬＥＤは、青色が２つ、他の色は１つずつ備えられ、同心円上に並ぶように配置されている。また、この同心円上において、青色のＬＥＤが隣同士にならないように配置されている。
【００３５】
浴槽挿入用ケーシング６の後面には、図２に示すように、浴槽挿入体固定手段８，８……である吸盤が備えられている。この吸盤は、左右に並ぶ２つの吸盤を一対とし、その対となる吸盤が上下に設置できるようになっている。そして、浴槽５の内壁にあわせ、上か下か、もしくは両方に吸盤を設置するものである。また、この吸盤は、浴槽挿入用ケーシング６に備えられたネジ孔に、吸盤に備えられたネジ部を嵌合させて設置されている。
【００３６】
浴槽挿入用ケーシング６は、支持体３から垂下されて浴槽５内に挿入されている。この支持体３は、図１〜５に示すように、支持体本体部２１と、その両端から突出し、伸縮可能な腕部２２，２２と支持本体部２１上に設置された台座２３を有している。そして、腕部２２，２２の先端下部に備えられた支持体固定手段２４，２４……によって、浴槽５の縁部に固定されている。
【００３７】
支持体本体部２１は、平面視略長方形状であるとともに、略角筒状に形成され、両端から腕部２２，２２が挿入されている。また、支持体本体部２１には、表裏に貫通開口する通し穴が形成されており、その通し穴を覆うように、台座２３が設置されている。また、その通し穴は、支持体本体部２１の長さ方向に片寄せて配置されている。
【００３８】
この支持体本体部２１上に設置されている台座２３には、図３に示すように、台座２３の上面側にディスプレイ４が設置されているとともに、そのディスプレイの前方にリモコン装置が嵌る凹部２５が形成されている。また、台座２３の下面側には、支持体本体部２１の通し穴を通して浴槽挿入体２が連結されている。
【００３９】
また、支持体本体部２１の両端から突出している腕部２２，２２は、支持体本体部２１の筒状部分に嵌るとともに、支持体本体部２１内をスライドするように形成されている。そして、この腕部２２，２２が支持体本体部２１に挿入されて、伸縮可能となっている。また、この腕部２２，２２には、支持体固定手段２４，２４……である吸盤が２個ずつ設置されている。この吸盤は、ネジ部を有し、このネジ部が腕部の先端裏面側に設けられたネジ穴に嵌合されている。
【００４０】
支持体３の台座２３上に設置されているディスプレイ４は、軽量かつ省スペースである薄型のディスプレイである。このディスプレイ４は、図１に示すように、画像表示部３１とスピーカ部３２，３２を有している。そして、このディスプレイ４は、ＤＶＤプレイヤーやビデオ等のＡＶ機器や、パソコンと接続することができ、テレビやＤＶＤ、ビデオ等を視聴することができる。
【００４１】
また、ディスプレイ４は、浴室の外に設置されている電源ユニットに接続されることによって、電源を供給されている。そして、ディスプレイ４と浴槽挿入体２とが電気的に接続されており、ディスプレイ４を通して、浴槽挿入体２に電源が供給されている。
【００４２】
また、ディスプレイ４には、ディスプレイ４の機能を操作するための第１スイッチ部３３と浴槽挿入体２の機能を操作するための第２スイッチ部３４が備えられている。第１スイッチ部３３には、テレビを視聴している際にチャンネルを変更するためのチャンネル変更ボタン、音量を上げ下げする音量調節ボタン、テレビモードやＤＶＤモードなどのモードを変更するモード切り替えボタン及びディスプレイ４自体の電源スイッチなどのディスプレイ４の機能を操作するボタンを有している。
【００４３】
そして、第２スイッチ部３４には、浴槽挿入体２に設置されている噴流発生手段１２および浴槽内照明装置１１のスイッチを有している。また、同様に、温度センサによって測定された温度を表示する温度表示部を有している。第１スイッチ部及び第２スイッチ部は、ディスプレイ４の前面下部に設置されており、入浴者が容易に操作できるように配慮されている。
【００４４】
また、ディスプレイ４の機能は、リモコン装置でも操作可能となっている。このリモコン装置は、台座２３に取り外し可能に設置することができる。また、浴槽挿入体２の機能をリモコン装置で操作可能としてもよい。
【００４５】
尚、浴室の外部には電源ユニット及びＤＶＤプレイヤーが設置され、ディスプレイ４に接続されている。
【００４６】
また、浴槽挿入用ケーシング６内には、浴槽５内の湯水の温度を測定するセンサが取り付けられている。また、安全面からの配慮により、フィルタカセット１４ｃを所定の位置に装着しないと、噴流発生手段１２が動作しないようにするフィルタ安全装置を有している。さらに、浴槽挿入体２には、その傾きを検知する傾きセンサを有しており、浴槽挿入体２が３０度以上傾いた場合に、噴流発生手段１２が自動的に作動停止するようになっている。
【００４７】
さらに、噴流発生手段１２には、所定時間連続で稼動すると噴流発生手段１２が自動的に停止するように、運転自動停止タイマーを有している。従って、噴流発生手段１２を長時間使用して入浴者が疲労することを防止できる。
【００４８】
尚、噴流発生手段１２の気泡入り噴流の噴出量は、毎分４４リットルが望ましい。また、噴流発生手段１２が連続運転できる時間としては、３０分程度が望ましい。
【００４９】
また、空気吸入口には、騒音防止のため、サイレンサーを装着することが望ましい。
【図面の簡単な説明】
【００５０】
【図１】本発明に係るディスプレイ一体型噴流発生装置の使用状態の一例を示す正面図である。
【図２】本発明に係るディスプレイ一体型噴流発生装置の一例を示す背面図である。
【図３】同上の平面図である。
【図４】同上の底面図である。
【図５】同上の側面図である。
【図６】同上の左側断面図である。
【図７】従来の浴中気泡発生装置の使用状態を示す斜視図である。
【図８】同装置を後方から見た斜視図である。
【符号の説明】
【００５１】
１  ディスプレイ一体型噴流発生装置
２  浴槽挿入体
３  支持体
４  ディスプレイ
５  浴槽
６  浴槽挿入用ケーシング
７  受け部材
８  浴槽挿入体固定手段
９  吸込口
１１  浴槽内照明装置
１２  噴流発生手段
１３  空気吸入路
１３ａ  空気吸入口
１３ｂ  空気吸入管
１４  湯水吸入路
１４ａ  フィルタ部
１４ｂ  フィルタカセット挿入口
１４ｃ  フィルタカセット
１５  湯水噴出路
１６  湯水噴出ポンプ
１７  噴出口
２１  支持体本体部
２２  腕部
２３  台座
２４  支持体固定手段
２５  凹部
３１  画像表示部
３２  スピーカ部
３３  第１スイッチ部
３４  第２スイッチ部
５１  浴中気泡発生装置
５２  噴射口
５３  吸気口
５４  装置本体
５５  吸着盤
５６  操作レバー
５７  浴槽
【図１】
2008212404.tif 000003
【図２】
2008212404.tif 000004
【図３】
2008212404.tif 000005
【図４】
2008212404.tif 000006
【図５】
2008212404.tif 000007
【図６】
2008212404.tif 000008
【図７】
2008212404.tif 000009
【図８】
2008212404.tif 000010